(57)【特許請求の範囲】
【請求項１】
柔軟性を有する複数のシートと、閉鎖容器とを備え、
各シートは、間隔をおいて設けた第１端と第２端とを有し、該第１端と第２端との間に所定の均一長さを有し、主要上面とその反対側の主要底面とを有してなるバッキングを備え、少なくとも上記第２端に近接する上記底面の第２端部に、感圧接着剤層を有する一方、該感圧接着剤層を、その下のシートの第１端に近接する下層のシートの上面の一部に接着することによって、上記シートを互いに剥離可能に接着し、シートの隣合う端を整列させ、かつ、連続的に重なるシートの第１端と第２端とを隣接させた状態で、シートの積層体を形成するようにし、さらに、上記第１端に近接する上記シートの第１端部が、シートの積層体の下層のシートに接着するのを制限するかあるいは防止するための手段を有し、
閉鎖容器は、対向主要面を有しかつ相対する上壁と底壁とを備え、相対向する壁は、それぞれ、周縁部と、該周縁部に囲まれた中央部とを有し、上記上壁と底壁との両主要面は、上記周縁部に沿って、面と面とを互いに付着して、上記壁の中央部がチャンバを構成するようにし、上記上壁は、該上壁の主要面間にエッジ面を有し、これにより、ほぼ中央に設けた横断スロットを構成し、上記エッジ面は、間隔をおいて設けた相対向するエッジ面であり、上記チャンバの一方の側部沿いの上記周縁部は、間隔をおいて設けた通し開口を有し、これにより、リング式バインダーのリングを受け入れることができるようにし、
上記シートの端を上記第１エッジ面及び第２エッジ面にほぼ平行に設け、かつ、シートの積層体の最下層のシートを上記底壁に近接した位置に設け、かつ、上記最上層のシートの第１端部を、上記スロットから突出させるとともに、上記相対向するエッジ面の一方に支持されるようにした状態で、上記シートの積層体を上記チャンバ内に配置し、そうすることによって、最上層のシートの上記第１端部を上記スロットから引き出すと、その下の第１の下層シートの第１端部が、上記最上層のシートの第２端部と共に上記スロットを通って移動し、上記最上層のシートを、第１の下層シートの第１端部から完全に剥離した後、第１の下層シートの第１端部が、上記スロットから突出するとともに、相対向する上記エッジ面の他方に支持されるようにし、最上層のシートを剥離するのと同様の方法で、把持して手で剥離することができるようにしたディスペンサ容器。
【請求項２】
上記シートの積層体は、約25枚未満のシートからなる請求項１記載のディスペンサ容器。
【請求項３】
上記各シートの感圧接着剤層は、それぞれ、上記底面の一部のみに沿って延在し、これにより、上記第１端に近接して設けた上記シートの第１端部が、重ねられた下層のシートに接着するのを制限するかあるいは防止するための手段を備えている請求項１記載のディスペンサ容器。
【請求項４】
上記各シートの感圧接着在層は、それぞれ、上記底面全体に沿って延在する一方、上記第１端に近接して設けた上記シートの第１端部が、重ねられた下層のシートに接着するのを防止するための手段は、上記下層のシートに剥離剤層を備え、これにより、上記第１端部に近接した位置に設けた重ねられたシートの一部に備わる上記接着剤が、上記下層のシートに接着するのを防止している請求項１記載のディスペンサ容器。
【請求項５】
柔軟性を有する複数のシートと、閉鎖容器とを備え、
各シートは、間隔をおいて設けた第１端と第２端とを有し、該第１端と第２端との間に所定の均一長さを有し、主要上面とその反対側の主要底面とを有してなるバッキングを備え、少なくとも上記第２端に近接する上記底面の第２端部に、感圧接着剤層を有する一方、該感圧接着剤層を、その下のシートの第１端に近接する下層のシートの上面の一部に接着することによって、上記シートを互いに剥離可能に接着し、シートの隣合う端を整列させ、かつ、連続的に重なるシートの第１端と第２端とを隣接させた状態で、シートの積層体を形成するようにし、さらに、上記第１端に近接する上記シートの第１端部が、シートの積層体の下層のシートに接着するのを制限するかあるいは防止するための手段を有し、
閉鎖容器は、対向主要面を有しかつ相対する上壁と底壁とを備え、相対向する壁は、それぞれ、周縁部と、該周縁部に囲まれた中央部とを有し、上記上壁と底壁との両主要面は、上記周縁部に沿って、面と面とを互いに付着して、上記壁の中央部がチャンバを構成するようにし、上記上壁は、該上壁の主要面間にエッジ面を有し、これにより、ほぼ中央に設けた横断スロットを構成し、上記エッジ面は、間隔をおいて設けた相対向するエッジ面であり、上記チャンバの一方の側部沿いの上記周縁部は、上記底壁の外側面に沿って折り返すことによって、該底壁と共にフック状の構造を形成し、これにより、ポケットフォルダや書類ばさみ等に係合するようにし、
上記シートの端を上記第１エッジ面及び第２エッジ面にほぼ平行に設け、かつ、シートの積層体の最下層のシートを上記底壁に近接した位置に設け、かつ、上記最上層のシートの第１端部を、上記スロットから突出させるとともに、上記相対向するエッジ面の一方に支持されるようにした状態で、上記シートの積層体を上記チャンバ内に配置し、そうすることによって、最上層のシートの上記第１端部を上記スロットから引き出すと、その下の第１の下層シートの第１端部が、上記最上層のシートの第２端部と共に上記スロットを通って移動し、上記最上層のシートを、第１の下層シートの第１端部から完全に剥離した後、第１の下層シートの第１端部が、上記スロットから突出するとともに、相対向する上記エッジ面の他方に支持されるようにし、最上層のシートを剥離するのと同様の方法で、把持して手で剥離することができるようにしたディスペンサ容器。
【請求項６】
上記シートの積層体は、約25枚未満のシートからなる請求項５記載のディスペンサ容器。
【請求項７】
上記各シートの感圧接着剤層は、それぞれ、上記底面の一部のみに沿って延在し、これにより、上記第１端に近接して設けた上記シートの第１端部が、重ねられた下層のシートに接着するのを制限するかあるいは防止するための手段を備えている請求項５記載のディスペンサ容器。
【請求項８】
上記各シートの感圧接着剤層は、それぞれ、上記底面全体に沿って延在する一方、上記第１端に近接して設けた上記シートの第１端部が、重ねられた下層のシートに接着するのを防止するための手段は、上記下層のシートに剥離材料層を備え、これにより、上記第１端部に近接した位置に設けた重ねられたシートの一部に備わる上記接着剤が、上記下層のシートに接着するのを防止している請求項５記載のディスペンサ容器。
【発明の詳細な説明】
技術分野
本発明は、バッキングに感圧接着剤層をそれぞれ備えた柔軟性を有する複数のシートを収納したディスペンサ容器に関する。各シートは、第１端と第２端とを有していて、連続して重ねられた各シートの第１端と第２端とが隣接するように積み重ねて互いに接着している。各シートは、また、その下層のシートに接着していないかあるいは下層のシートから容易に分離可能な第１端部を、第１端に近接した位置に有しているため、積み重ねたシートの最上層のシートを容易に剥離することができる。
背景技術
バッキングに感圧接着剤層をそれぞれ備えた柔軟性を有する複数のシートを備えているディスペンサ容器が知られている。各シートは、第１端と第２端とを有し、連続して重ねられたシートの第１端と第２端とを隣接させるように積み重ねて互いに接着している。各シートは、その下層のシートに接着していない（あるいは、下層のシートから容易に分離することができる）第１端部を、第１端に近接した位置に有しているため、積み重ねたシートの最上層のシートを容易に剥離することができる。
米国特許第5,086,946号明細書は、上記のようなシートの積層体を備えた容器について記載している。感圧接着剤層は、シートのバッキング全体に延在している。剥離手段と付着手段とを使用することによって、シートの第１端部を分離することができる。剥離手段は、接着剤層と、接着剤層が剥離可能に接着した隣接積層シートの面との間で、各シートの第１端部に沿って第１の低接着レベルを与えるものである。付着手段は、接着剤層と、隣接積層シートとの間が、各シートの第２端に近接して設けた第２端部に沿って、第２の接着レベルを与えるものであるが、これは、第１端部沿いの剥離力よりも大きい剥離力を有している。
米国特許第4,770,320号明細書は、上記のようなシートの積層体（これは、アメリカ合衆国ミネソタ州セント・ポールに住所を有するミネソタ・マイニング・アンド・マニュファクチュアリンング・カンパニーから、「ポスト−イット（商標）・ブランド・テープ・フラッグズ」という製品名で入手可能である）を備えた容器について記載している。このシートにおいて、感圧接着剤層は、シートのバッキングの一部にのみ備わっている。これらの米国特許明細書に記載されたディスペンサ容器はそれぞれ有効であるが、両方とも、シートを取り出すためにはシートの積層体往復移動させる必要がある。
1994年６月21日に出願した米国特許出願第08/263,601号明細書（当社管理番号48816USA9A;該明細書の内容は、本明細書に参考として組み込まれている。）は、上記タイプのシートの積層体ための単純なディスペンサ容器について記載している。このディスペンサ容器は、シートを取り出すためにシートの積層体往復移動させる必要がない。その結果、シートを取り出す際にシートの積層体往復移動させるようなディスペンサ容器と比較すると、ディスペンサ容器の長さを短縮することができる。このディスペンサ容器は、米国特許第5,086,946号明細書に記載されたタイプとほぼ同一か、あるいは、米国特許第4,770,320号明細書に記載されたタイプとほぼ同一の柔軟性を有するシートの積層体を備えることができる。各シートは、第１端と第２端とを有している。各シートは、底面に感圧接着剤層を有したバッキングを備えている。これによって、シートの隣合う端を整列させるとともに、連続的に積層されたシートの第１端と第２端とを隣接させた状態で、シートを積み重ねて相互に分離可能に接着している。シートは、（１）各シートの第１端に近接する第１端部に沿って第１の低接着レベルを与える剥離手段を有している。第１の低接着レベルにおいて、接着剤層と、接着剤層が分離可能に接着した隣接するシートの上面との間の剥離力は小さい。あるいは、シートは、（２）シートの第１端部が、その下層のシートに接着しないようにするための手段と、付着手段とを有している。この付着手段は、接着剤層と、隣接して重ねられるシートの上面との間が、各シートの第２端に近接して設けた第２端部に沿って、第２の接着レベルで接着するようにする。この第２接着レベルは、第１端部沿いの（もしあったとしても）小さい剥離力よりも大きい剥離力を有し、シートを隣接するシートに確実に接着する一方、第２端部に沿って、シートの積層体からシートを剥離することができる。シートの第１端部の第１端から第２端までの長さは、シートの長さの半分より短く、連続的に重ねられたシートの第１端部の間の感圧接着剤層の中央部が、重なったシートの面同士を接着するようにしている。このディスペンサ容器は、閉鎖容器を備えている。閉鎖容器は、シートの積層体を配置するチャンバを構成する壁を備えている。この壁は、（１）チャンバの底部を構成する底壁と、（２）底部の反対側に、チャンバの上部を構成する２つの上壁と、（３）上壁と底壁との間の側壁とを有している。２つの上壁は、底壁の端にほぼ平行に延在して（最初から、あるいは、容器を開いた後に）間隔をおいて設けた第１接触面とその反対側の第２接触面とを有している。この接触面は、ほぼ中央を横断する幅広のスロットを構成している。スロットの、接触面間の長さは、感圧接着剤層の中央部の長さとほぼ等しいか又はそれより長い。シートの端を底壁の端にほぼ平行に設けるとともに、シートの積層体の最下層のシートを底壁に隣接させるようにして、シートの積層体をチャンバ内に配置する。ディスペンサ容器は、シートの積層体がハウジングに対して直立方向に移動するのを制限する手段を有している。また、ディスペンサ容器は、積み重ねられたシートの端に平行な軸の周囲で、シートの積層体の最上層のシート以外の全てのシートの第２端部が曲がるのを制限する手段を有している。（この手段は、シートの積層体の最下層のシートを底壁に接着するか、又は、シートの積層体の最下層のシートが接着する底壁に近接したチャンバ内に、剛性を有する支持シートを備えるのか、のいずれかによって設けることが可能である）。接触面の１つは、最上層のシートの第１端部が、スロットから突出するとともに接触面の１つに支持されることができるように、シートの積層体の最上層のシートに対して配置している。スロットの接触面間が所定の長さを有しているため、最上層のシートの第１端部をスロットから引き出すと、最上層のシートが接着したその下の第１の下層シートから、それに連続する最上層のシートの部分を剥がすことができる。次に、第１の下層シートの第１端部を、その下の第２の下層シートから分離することができる。さらに、第１の下層シートの第１端部が、最上層のシートの第２端部と共にスロットを通って移動する。その結果、最上層のシートを第１の下層シートの第１端部から完全に剥離した後、第１の下層シートの第１端部が、スロットから突出しかつ第２接触面に支持されるようにするとともに、最上層のシートを剥離するのと同様の方法で、手で把握して剥離することができるような位置に設けられる。
米国特許第5,158,205号明細書は、類似の寸法を有するメモ用紙の少量の積層体（例えば100枚以下）（ミネソタ・マイニング・アンド・マニュファクチュアリング・カンパニーから、「ファン−フォールデッド・ポスト−イット（商標）・ブランド・ノート・パッド・フォー・ポスト−イット（商標）・ポップ−アップ・ノート・ディスペンサ」という製品名で入手可能なメモ用紙が例として挙げられる）のための安価なディスペンサについて記載している。これは、それぞれのシートが、底面の一縁沿いにコーティングした幅狭の接着バンドを有するタイプのものである。これにより、重なったシートの両側に交互に、隣接するシートの接着バンドを設けるようにしてシートを積み重ねた状態で、シートは、隣接するシートの上面に接着する。ディスペンサは、シートの積層体を密に収納するハウジングを備えている。このハウジングは、シートの積層体の上面に近接する位置に、単一の柔軟材料層を備えた上壁を有している。上壁は、側面スリットの間に延在しかつ間隔をおいて設けたエッジ面を有している。スリットは、上壁に設けた対向する２つのフラップ状の部分と、フラップ状の部分の間に設けた上壁を貫通するスロットとを構成している。このスロットから、シートの積層体の最上層のシートの端部が突出している。シートの積層体の最上層のシートがスロットから引き出されると、最上層のシートの接着バンドに近接するフラップ状の部分は、シートの積層体から離れる方向に曲がり、これにより、シートが引き出されたシートの積層体に近接する位置に、凸状の曲面を形成する。また、接着バンドが接着しているシートの積層体の上から２番目のシートの端はスライドし、これにより、シートが丸まるのを制限することができる。引き出された最上層のシートの接着バンドの反対側のフラップ状の部分は、シートの積層体の上から２番目のシートを伴って引かれる。その結果、最上層のシートを引き出すために作用させた力は、最上層のシートをスロットから引き出した後に、第２シートをスロットから完全に引き出すのではなくて、シートの積層体の上から２番目のシートの端から離れる方向に、最上層のシートを剥がすことができる。
発明の開示
本発明は、上記したようなシートの積層体のいずれかを備えることができるとともに、特にリングバインダー用に構成したディスペンサ容器を提供する。このディスペンサ容器は、リングバインダーの使用者にとって非常に都合がよく、シートの積層体からシートを容易に取り出して、バインダー内のシートと共に使用したり又は他の目的のために使用したりすることができる。また、このディスペンサ容器は、その１つのエッジに沿って他の取付手段を有することによって、ポケットフォルダや紙ばさみ等にディスペンサ容器を取り付けることができるようにしてもよい。
本発明によれば、上記したタイプの柔軟性を有する複数のシートを備えたディスペンサ容器が提供される。各シートは、間隔をおいて設けた第１端と第２端とを有している。各シートは、また、主要上面とその反対側の主要底面とを有したバッキングを備え、少なくとも第２端に近接する底面の第２端部に、感圧接着剤層を有している。感圧接着剤層を、その下のシートの第１端に近接する下層のシートの上面の一部に接着することによって、シートを互いに剥離可能に接着し、シートの隣合う端を整列させ、かつ、連続的に重なるシートの第１端と第２端とを隣接させた状態で、シートの積層体を形成するようにしている。また、各シートは、第１端に近接するシートの第１端部が、シートの積層体の下層のシートに接着するのを制限するかあるいは防止するための手段を有している。ディスペンサ容器は、また、閉鎖容器を備えている。閉鎖容器は、対向する主要面を有しかつ相対する上壁と底壁とを備えている。相対向する壁は、それぞれ、周縁部と、周縁部に囲まれた中央部とを有している。上壁と底壁との両主要面は、周縁部に沿って、面と面とを互いに接着するかあるいは他の方法で付着して、壁の中央部がチャンバを構成するようにしている。上壁は、上壁の主要面の間にエッジ面を有し、これにより、ほぼ中央に設けた横断スロットを構成している。エッジ面は、間隔をおいて設けた相対向するエッジ面である。チャンバの一方の側部沿いの周縁部は、間隔をおいて設けた通し開口を有し、リング式バインダーのリング（例えば、３つのリング、６つのリング、又は７つのリングを有したバインダー、あるいは螺旋形状の部材で綴じたバインダーのリング）を受け入れることができるようになっている。シートの積層体の底面を底壁の内面に（例えば、適切な接着材料によって）取り付け、かつ、シートの端を第１エッジ面及び第２エッジ面にほぼ平行に設け、かつ、シートの積層体の最下層のシートを底壁に近接させ、かつ、最上層のシートの第１端部を、スロットから突出させるとともに、相対向するエッジ面の一方に支持されるようにした状態で、シートの積層体をチャンバに配置する。そうすることによって、最上層のシートの第１端部をスロットから引き出すと、その下の第１の下層シートの第１端部が、最上層のシートの第２端部と共にスロットを通って移動する。最上層のシートを、第１の下層シートの第１端部から完全に剥離した後、第１の下層シートの第１端部が、スロットから突出するとともに、相対向するエッジ面の他方に支持され、最上層のシートを剥離するのと同様の方法で、把持して手で剥離することができるようにしている。
【図面の簡単な説明】
本発明は、添付の図面を参照して以下に記載される。複数の図面中、同一の参照符号は同一の部材を示している。
図１は、本発明に係るディスペンサ容器の第１実施形態の平面図である。
図２は、図１の２−２線付近で切断した図１のディスペンサ容器の断面図である。
図３は、本発明に係るディスペンサ容器の第２実施形態の平面図である。
図４は、本発明に係るディスペンサ容器の第３実施形態の端面図である。
詳細な説明
図1,図２において、本発明に係るディスペンサ容器の第１実施形態の全体を参照符号10で示している。
ディスペンサ容器10は、柔軟性を有する20枚の紙シート14の積層体12を備えている。シート14は、米国特許第4,781,306号明細書（その内容は、本明細書に参考として組み込まれている）に記載されたタイプのものであり、これは、ミネソタ・マイニング・アンド・マニュファクチュアリング・カンパニーから、「ファン−フォールデッド・ポスト−イット（商標）・ブランド・ノート・パッド・フォー・ポスト−イット（商標）・ポップ−アップ・ノート・ディスペンサーズ」という製品名で入手可能である。このシートの積層体12は、通常、柔軟性を有する複数のシート14よりなる。各シート14は、互に離れた第１端と第２端とを有し、その第１端と第２端との間に所定の均一長さを有している。各シート14は、主要上面とその反対側の主要底面とを有した紙製の裏材を備えている。また、各シート14は、第２端に近接する底面の第２端部に感圧接着剤層を有している。１つのシートのこの感圧接着剤層が、その下のシートの上面の第１端に近接する一部に接着することによって、シート14が互いに剥離可能に接着し、隣合うシートの端が整列し、かつ連続的に重なるシートの第１端と第２端とが隣接した状態で、シートの積層体12が形成されている。シート14は、第１端部15が接着剤でコーティングされておらず、シート14の第１端に近接するシート14の第１端部15がその下層のシート14に接着するのを制限するかあるいはそれを防止するための手段を有している。
ディスペンサ容器10は、また、上壁22とその反対側の底壁24（例えば、厚さ0.007〜0.030インチの厚紙製の壁）とを備えた閉鎖容器20を有している。上壁22と底壁24は、単一のシートを、そのエッジを揃えて折り重ねて形成する一方、チャンバ25を構成する相対向する主要面を有している。チャンバ25内には、シート14の積層体12を配置している。相対向する壁22,24は、それぞれ、四角形の周縁部26と、その周縁部26に囲まれた中央部28とを有している。相対向する上壁及び底壁の主要面は、周縁部26で（例えば適切な接着剤によって）面同士を互いに付着している。これにより、壁22,24の中央部28は、チャンバ25を構成する。上壁は、上壁の主要面の間にエッジ面を有していて、これは、ほぼ中央の横断スロット30を構成している。エッジ面は、間隔をおいて設けた相対向するエッジ面32からなる。チャンバ25の一方の側部沿いの周縁部26は、間隔をおいて設けた円形及び細長楕円形状の通し開口34を有し、リング式バインダーのリングを受け入れるようになっている。図示した開口34は、個人手帳として使用されることが多い３つのリング、６つのリング、又は７つのリングを備えたバインダーのリングを受け入れるようになっている。しかし、他の実施形態においては、この開口34は、さらに小さい寸法を有しかつ等間隔を設けて配置することによって、螺旋形状のリングバインダーのリングを受け入れるようにすることもできる。シートの積層体12の最下層のシートを底壁24の内面に取り付け、かつ、シートの端を両エッジ面32にほぼ平行に配置し、かつ、シートの積層体12の最下層のシート14を底壁24に隣接させ、かつ、最上層のシート14の第１端部15をスロット30から突出させるとともに両エッジ面32の１つに支持されるようにして、シート14の積層体12をチャンバ25に位置決めする。最上層のシート14の第１端部15をスロット30から引き出すと、その下の第１の下層シートの第１端部15が移動して、最上層のシート14の第２端部と共にスロット14を通る。最上層のシート14を第１の下層シート14の第１端部15から完全に剥離した後は、第１の下層シート14の第１端部15はスロット30から突出すると同時に両エッジ面32の他方に支持され、最上層のシート14を剥離するのと同様の方法で、把持して手で剥離することができる。
図３を参照すると、本発明に係るディスペンサ容器の第２実施形態の全体を参照符号40で示している。ディスペンサ容器40は、閉鎖容器44を備えている。この閉鎖容器44は、上壁47のスロット46の形状が異なることを除いては、ディスペンサ容器10の閉鎖容器20と実質的に同一であり、閉鎖容器の各部は、同一の参照符号にサフィクス“a"を付けて示している。ディスペンサ容器40は、シート14の積層体12の代わりに、シート54の２つの積層体50を備えている。シート54は、米国特許第4,770,320号明細書（該明細書の内容は、本明細書中に組み込まれている。）に記載されたタイプのものであり、これは、アメリカ合衆国ミネソタ州セント・ポールに住所を有するミネソタ・マイニング・アンド・マニュファクチュアリング・カンパニーから、「ポスト−イット（商標）・ブランド・テープ・フラッグズ」という製品名で入手可能である。２つのシートの積層体50のシート端部66は、異なる色にすることができる。通常、それぞれの積層体50の各シート54は、主要上面とその反対側の主要底面とを有する裏材と、第１端とその反対側の第２端とを備えていて、第１端と第２端との間に所定の均一長さを有している。各シート54は、裏材の第２端に近接して設けた底面の少なくとも第２端部に、感圧接着剤層を備えている。この第２端部の裏材の第２端から第１端までの長さは、裏材の所定の長さの半分より長い。積層シート54は、その下方のシート54の第１端に近接する下方のシート54の上面の一部に感圧接着剤層を接着することによって、相互に剥離可能に接着している。これにより、シート54の隣合う端を整列させ、かつ、連続して重なるシート54の第１端と第２端とを隣接させるようにして、シートの積層体50を形成する。シート54は、第１端に近接したシート54の第１端部66が、シート54の積層体50における下層のシート54に接着するのを防止するための手段を有している。第１端部66の第１端から第２端までの長さは、所定長さの半分より短く、連続して重なったシート54の第１端部の間に設けた感圧接着剤層の中央部が、積み重ねたシート54の面同士を剥離可能に接着するようにしている。米国特許第4,770,320号明細書に記載されたタイプのシート54において、感圧接着剤層の接着剤は配置変更することができ、また、シート54の第１端部66は、底面に接着剤を有していないので、シート54の第１端に近接して設けたシート54の第１端部66が、その下層のシート54に接着するのを防止するための手段が備わっている。
他の方法として、シートの積層体50は、シートの全長を感圧接着剤層によってコーティングしたシート（米国特許第5,086,946号明細書に記載されているシート等が例として挙げられる。該明細書の内容は、本明細書に参考として組み込まれている。）で形成することもできる。シートの第１端に近接するシートの第１端部が、その下層のシートに接着するのを防止するための手段は、（１）下層のシートの第１端部に近接した位置に剥離剤をコーティングすることによって、シートの第１端部の接着剤が、その下層のシートに接着しないようにするか、あるいは、（２）（１）よりは好ましくない方法であるが、第１端部の接着剤を覆うように、固定的又は着脱自在に接着したタブを設けるか、のいずれかによって備えることができる。
図３に示すように、シートの積層体の最下層のシートを底壁24aの内面に取り付け、かつ、各積層体50の最上層のシート54の第１端部66をスロット46から突出させるとともに、その第１端部66が、スロット46を構成するエッジ面の一部である２つの相対向するエッジ面70の内、近接する一方のエッジ面に接するようにして、シート54の積層体50をチャンバ69内に配置している。相対向するエッジ面70の間のスロット46の長さは、連続した積層シートの第１端部間の感圧接着剤層の中央部とほぼ同一の長さであるか、又はそれより長い。その結果、最上層のシート54の第１端部66をスロット46から引き出すと、最上層のシート54が相対向する反対側のエッジ面70に接するまでの間、最上層のシート54が接着していたシートの積層体50の第１の下層シート54から、それに連続する最上層のシート54の部分を剥離することができる。次に、第１の下層シート54の第１端部66を、その下の第２の下層シート54から剥離することができる。積層体50と上壁47との間の空間から第１端部66を移動させた後に、最上層のシート54の第２端部と共に、第１端部66をスロット50を通って移動させることができる。その結果、最上層のシート54を、その下の第１の下層シート54の第１端部66から完全に剥離した後は、第１の下層シート54の第１端部66が、スロット50から突出するとともに、近接する対向エッジ面70に支持され、最上層のシート54を剥離するのと同様の方法で、把持して手で剥離することができる。同様に、さらに下層のシート54の第１端部66を、それぞれ、閉鎖容器44から突出させ、かつ、剥離したシート54が当初支持されていた相対向する反対側のエッジ面70に支持された状態で、積層体50のさらに下層のシート54も、また剥離することが可能である。
図４を参照すると、本発明に係るディスペンサ容器の第３実施形態の全体を、参照符号90で示している。ディスペンサ容器90は、閉鎖容器20,44のいずれかと同一の閉鎖容器91を有し、シート14,54の積層体12,50のいずれかを備えている。ただし、このディスペンサ容器90は、リング式バインダーのリングを受け入れるように間隔をおいて形成した円形及び細長楕円形状の通し開口34,34aに代わる取り付け手段を備えている。この取り付け手段は、チャンバの一側部沿いの周縁部92を、その底壁93の外面に沿って折り返し、底壁93とともにフック形状の構造部材94を形成することによって設けている。このフック形状の構造部材94は、ポケットフォルダや紙ばさみ等に係合するようにしている。
以上、本発明を、３つの実施形態に関して記述した。当該技術分野に従事する者にとって、本発明の範囲から離れることなく、上記実施形態に多くの変形を加えることが可能であることは明白である。例えば、ディスペンサ容器は、上記したような異なるタイプのシートからなる２つ以上のシートの積層体を並列的に備え、使用者が、使用するシートの種類を選択できるようにすることが可能である（例えば、「ポスト−イット」メモ用紙のシートの積層体、異なる色の第１端部を有していてもよい「ポスト−イット」テープの付箋の２つ以上の積層体、及び、全体を接着材料でコーティングした透明ポリマーシート）。また、ディスペンサ容器10は、その底壁の外面に、1993年８月３日に出願した米国特許第08/101,615号明細書（該明細書の内容は、参考として本明細書に組み込まれている。）に記載されているシートディスペンサのサブアセンブリの１つを接着させることもできる。このように、本発明の範囲は、明細書に記載した構造及び方法に限定するものではなく、請求の範囲の用語で記載した構造及び方法並びにその均等物によってのみ限定されるものである。
【図１】
0003618103.tif 000002
【図２】
0003618103.tif 000003
【図３】
0003618103.tif 000004
【図４】
0003618103.tif 000005